(57)【要約】      （修正有）【課題】泡安定化、泡一貫性、及び泡白色度のうちの少なくとも１つが向上した、洗浄組成物の提供。【解決手段】界面活性剤系を含み、界面活性剤系は、４１％〜５０％の重量平均アルキル分岐度を有するアニオン性界面活性剤と、両性界面活性剤、双性イオン界面活性剤、及びこれらの混合物からなる群から選択される第一の補助界面活性剤とを含み、更に、特定の環状ポリアミンを含む、食器手洗い用洗浄組成物。【選択図】なし【特許請求の範囲】
【請求項１】
食器手洗い用洗浄組成物であって、前記組成物全体の１重量％〜６０重量％、好ましくは５重量％〜５０重量％、より好ましくは８重量％〜４５重量％、最も好ましくは１５重量％〜４０重量％の界面活性剤系と、前記組成物の０．１重量％〜５重量％、好ましくは０．１重量％〜２重量％の環状ポリアミンとを含み、
Ａ）前記界面活性剤系が、
ｉ）サルフェートアニオン性界面活性剤、好ましくはアルキルサルフェート、アルキルアルコキシサルフェート、好ましくはアルキルエトキシサルフェート、又はこれらの混合物から選択されるアニオン性界面活性剤であって、４１％〜５０％の重量平均アルキル分岐度を有する、アニオン性界面活性剤と、
ｉｉ）両性界面活性剤、双性イオン界面活性剤、及びこれらの混合物からなる群から選択される第一の補助界面活性剤であって、好ましくは両性界面活性剤から選択され、好ましくはアミンオキシド界面活性剤から選択される、第一の補助界面活性剤と、を含み、
Ｂ）前記環状ポリアミンが、式（Ｉ）の環状ポリアミンであり、
【化１】
2019052299.tif 000014
式中、ラジカルＲ１、Ｒ２、Ｒ３、Ｒ４、及びＲ５が独立して、ＮＨ２、−Ｈ、１〜１０個の炭素原子を有する直鎖若しくは分岐鎖アルキル又はアルケニルから選択され、ｎは、１〜３であり、前記ラジカルのうちの少なくとも１つは、ＮＨ２である、食器手洗い用洗浄組成物。
【請求項２】
前記環状アミンがジアミンであり、ｎが１であり、Ｒ２がＮＨ２であり、Ｒ１、Ｒ３、Ｒ４、及びＲ５のうちの少なくとも１つがＣＨ３であり、好ましくは残りのラジカルがＨである、請求項１に記載の組成物。
【請求項３】
前記環状ポリアミンが、２−メチルシクロヘキサン−１，３−ジアミン、４−メチルシクロヘキサン−１，３−ジアミン、及びこれらの混合物からなる群から選択される、請求項１又は２に記載の組成物。
【請求項４】
前記アニオン性界面活性剤が、５未満、好ましくは３未満、より好ましくは２未満かつ０．５超、最も好ましくは０．５〜０．９の平均エトキシル化度を有する、アルキルアルコキシサルフェート、好ましくはアルキルエトキシサルフェートを含み、前記アニオン性界面活性剤の平均アルキル鎖長が、８〜１８個、好ましくは１０〜１４個、より好ましくは１２〜１４個、最も好ましくは１２〜１３個の炭素である、請求項１〜３のいずれか一項に記載の組成物。
【請求項５】
前記アミンオキシド界面活性剤が、直鎖又は分岐鎖アルキルアミンオキシド界面活性剤、直鎖又は分岐鎖アルキルアミドプロピルアミンオキシド界面活性剤、及びこれらの混合物からなる群から選択され、好ましくは直鎖アルキルジメチルアミンオキシド界面活性剤からなる群から選択され、より好ましくは直鎖Ｃ１０アルキルジメチルアミンオキシド界面活性剤、直鎖Ｃ１２〜Ｃ１４アルキルジメチルアミンオキシド界面活性剤、又はこれらの混合物からなる群から選択され、最も好ましくは直鎖Ｃ１２〜Ｃ１４アルキルジメチルアミンオキシドからなる群から選択される、請求項１〜４のいずれか一項に記載の組成物。
【請求項６】
前記アニオン性界面活性剤と前記第一の補助界面活性剤との重量比が、１：１〜８：１、好ましくは２：１〜５：１、より好ましくは２．５：１〜４：１である、請求項１〜５のいずれか一項に記載の組成物。
【請求項７】
前記界面活性剤系が、前記界面活性剤系の１重量％〜２５重量％、好ましくは１．２５重量％〜２０重量％、より好ましくは１．５重量％〜１５重量％、最も好ましくは１．５重量％〜５重量％の、非イオン性界面活性剤、好ましくはアルキルエトキシル化非イオン性界面活性剤を含む第二の補助界面活性剤を更に含み、前記アルキルエトキシル化非イオン性界面活性剤が、９〜１５個、好ましくは１０〜１４個の炭素原子をそのアルキル鎖中に含み、かつアルコール１モル当たり５〜１２、好ましくは６〜１０、最も好ましくは７〜８単位のエチレンオキシドを含む、請求項１〜６のいずれか一項に記載の組成物。
【請求項８】
前記界面活性剤系の０．５重量％〜２０重量％、好ましくは０．７５重量％〜１５重量％、より好ましくは１重量％〜１０重量％、最も好ましくは１重量％〜５重量％のアルキルポリグリコシド界面活性剤を更に含み、前記アルキルポリグリコシド界面活性剤が、Ｃ８〜Ｃ１６アルキルポリグリコシド界面活性剤、好ましくはＣ８〜Ｃ１４アルキルポリグリコシド界面活性剤であり、好ましくは０．１〜３、好ましくは０．５〜２．５、好ましくは１〜２の平均重合度を有するものである、請求項１〜７のいずれか一項に記載の組成物。
【請求項９】
前記組成物全体の０．０５重量％〜２重量％の両親媒性ポリマーを更に含み、前記両親媒性ポリマーが、両親媒性アルコキシル化ポリアルキレンイミン、両親媒性グラフトポリマー、及びこれらの混合物からなる群から選択され、好ましくは、両親媒性アルコキシル化ポリアルキレンイミンからなる群から選択され、前記両親媒性アルコキシル化ポリアルキレンイミンが、１００〜５，０００、好ましくは４００〜２，０００、より好ましくは４００〜１，０００ダルトンの範囲の平均分子量を有するポリエチレンイミン主鎖を含むアルコキシル化ポリエチレンイミンポリマーであり、前記アルコキシル化ポリエチレンイミンポリマーが、
ｉ）修飾１個当たり平均１〜５０個のアルコキシ部分を有するポリアルコキシレン鎖による、窒素原子１個当たり１若しくは２個のアルコキシル化修飾であって、前記アルコキシル化修飾の末端アルコキシ部分が、水素、Ｃ１〜Ｃ４アルキル、若しくはこれらの混合物でキャップされている、アルコキシル化修飾、
ｉｉ）修飾１個当たり平均１〜５０個のアルコキシ部分を有するポリアルコキシレン鎖による、窒素原子１個当たり１つのＣ１〜Ｃ４アルキル部分の添加及び１若しくは２個のアルコキシル化修飾であって、前記末端アルコキシ部分が水素、Ｃ１〜Ｃ４アルキル、若しくはこれらの混合物でキャップされている、添加及びアルコキシル化修飾、又は
ｉｉｉ）これらの組み合わせを更に含み、
前記アルコキシ部分が、エトキシ（ＥＯ）及び／又はプロポキシ（ＰＯ）及び／又はブトキシ（ＢＯ）を含み、前記アルコキシル化修飾がＥＯを含む場合、それはＰＯ又はＢＯも含む、請求項１〜８のいずれか一項に記載の組成物。
【請求項１０】
前記組成物が、２０℃の蒸留水中１０％希釈で測定したとき、６〜１４、好ましくは７〜１２、より好ましくは７．５〜１０のｐＨ範囲を有する、請求項１〜９のいずれか一項に記載の組成物。
【請求項１１】
前記組成物が、２５℃で２０ＲＰＭにて、スピンドル２１を用いてＢｒｏｏｋｆｉｅｌｄ  ＲＶＴ粘度計で測定したとき、１０ｍＰａ・ｓ〜１０，０００ｍＰａ・ｓ、好ましくは１００ｍＰａ・ｓ〜５，０００ｍＰａ・ｓ、より好ましくは３００ｍＰａ・ｓ〜２，０００ｍＰａ・ｓ、最も好ましくは５００ｍＰａ・ｓ〜１，５００ｍＰａ・ｓの初期粘度を有する、請求項１〜１０のいずれか一項に記載の組成物。
【請求項１２】
食器手洗い用洗浄組成物であって、
Ａ）前記組成物の１５重量％〜４０重量％の、アニオン性界面活性剤、及びアミンオキシド補助界面活性剤、好ましくはアルキルジメチルアミンオキシド補助界面活性剤を含む界面活性剤系であって、
ｉ）前記アニオン性界面活性剤が、４１％〜５０％の重量平均分岐度及び０．５〜０．９の平均エトキシル化度及びＣ１２〜Ｃ１４の平均アルキル鎖長を有し、
ｉｉ）前記アニオン性界面活性剤及びアミンオキシド補助界面活性剤が、２．５：１〜４：１の重量比で存在する、界面活性剤系と、
Ｂ）前記組成物の０．１重量％〜２重量％の、２−メチルシクロヘキサン−１，３−ジアミン、４−メチルシクロヘキサン−１，３−ジアミン、及びこれらの混合物からなる群から選択される環状ジアミンと、を含む、食器手洗い用洗浄組成物。
【請求項１３】
食器類を手洗いする方法であって、
ａ）請求項１〜１２のいずれか一項に記載の組成物を、汚れた食器類又は洗浄用具上に供給する工程と、
ｂ）水の存在下で、前記食器類を前記組成物で洗浄する工程と、
ｃ）任意選択で、前記食器類をすすぐ工程と、を含む、方法。
【請求項１４】
食器類を手洗いする方法であって、請求項１〜１２のいずれか一項に記載の組成物を所定体積の水に供給して洗浄溶液を形成する工程と、前記溶液中に前記食器類を浸漬する工程と、を含む、方法。
【請求項１５】
請求項１〜１２のいずれか一項に記載の組成物の、洗浄プロセス全体を通じて前記組成物の泡の安定化を向上させること、前記組成物の泡の一貫性の保持を向上させること、及び前記組成物の泡の白色度の保持を向上させることのうちの少なくとも１つのための使用。
【発明の詳細な説明】
【技術分野】
【０００１】
本発明は、洗浄組成物に関する。特に、本発明は、高度に分岐したアニオン性界面活性剤と特定の環状ポリアミンとを含む界面活性剤系を含む食器手洗い用洗浄組成物に関する。この組成物は、向上された泡安定化、向上された泡一貫性、及び向上された泡白色度のうちの少なくとも１つを有する。本組成物はまた、広範囲の希釈下で、良好なグリース洗浄性及びグリース乳化も提供する。
【背景技術】
【０００２】
消費者は常に、改善されかつ長く持続する洗浄性能、特にグリース洗浄を供給することができる食器洗浄製品を探し求めている。製品が、更に機能しているかどうかを評価するために、消費者は、洗浄性能のサインとして泡立ち特性を見ている。より詳細には、消費者は、以下の泡立ちパラメータのうちの少なくとも１つを評価するであろう：残りの泡の量（すなわち、多ければ多いほど良い）、残りの泡の一貫性（すなわち、大気泡サイズ／水様泡と対比して緻密な泡を好む）、及び残りの泡の白色度（すなわち、白けれ白いほど良い）。
【０００３】
したがって、洗剤配合者は、洗浄プロセス中に可能な限り持続することができる、高体積、緻密かつ白色の泡の性質のうちの、全てではないが、少なくとも１つを有する製品を配合することに狙いを定めている。配合者が直面する課題は、汚れが洗浄プロセス中に除去されると、泡体積は、低下する傾向にあり、泡は一貫性を失って、より大きな気泡サイズの水様泡に代わる傾向にあり、また泡は着色する傾向にあることである。泡立ち特性におけるこれらの顕著な変化によって、消費者は洗剤製品をより頻繁に再投入する衝動に駆られる。泡立ち特性におけるこれらの望ましくない変化を防止することができるか、又は遅らせることができるならば、消費者はより少ない頻度で再投入することになり、その結果、消費者に支払われた金額に見合う高い価値及び／又はより高い製品品質を知覚させる。再投入が少なくなること（すなわち、より少ない消費量）の付加的な利益は、環境への影響が低減されることである。環状ポリアミンは、グリース洗浄のために良好であることが知られている。しかしながら、以前の泡立ち特性を改善するための試みは、洗浄全体を通じての泡体積の保持、泡密度及び／又は泡白色度を向上させるために、高度に分岐したアニオン性界面活性剤と組み合わされた環状ポリアミンの使用に焦点を当てていない。
【０００４】
この課題は、消費者が異なる洗浄習慣を有することによって更に複雑になる。ある消費者は、食器洗浄洗剤を含有する水で満たされた流し台の中で洗浄することを好む一方で、他の消費者は、洗浄用具に食器洗浄洗剤を適用し、水を流しながら洗浄することを好む。そのため、洗剤配合者は、食器手洗い用洗剤が、広範囲の希釈下で良好に機能するように設計される必要があることを確実にする必要がある。
【発明の概要】
【発明が解決しようとする課題】
【０００５】
これにより、異なる種類の食器手洗い用習慣及び洗浄条件で使用するための良好な泡立ち特性を有する洗浄組成物に対する必要性が依然として残っている。良好な洗浄性、特に汚れ及び／又はグリースを落とす良好な洗浄性をもたらす洗浄組成物が引き続き求められている。強力なグリース洗浄性を超える洗浄組成物がまた、油汚れが食器類又はシンク上に再付着することを実質的に低減又は防止するような良好なグリース乳化も提供する要求も存在する。本出願人は、以下に説明する洗浄組成物を通して、上述の必要性のいくつか又は全てが少なくとも部分的に満たされ得ることを発見した。
【課題を解決するための手段】
【０００６】
一態様では、本発明は、食器手洗い用洗浄組成物を提供することによって、これらの要求に対処し、本組成物は、全組成物の１重量％〜６０重量％、好ましくは、５重量％〜５０重量％、より好ましくは８重量％〜４５重量％、最も好ましくは１５重量％〜４０重量％の界面活性剤系と、組成物の０．１重量％〜５重量％、好ましくは０．１重量％〜２重量％の環状ポリアミンとを含む。界面活性剤系は、アニオン性界面活性剤と第一の補助界面活性剤とを含む。アニオン性界面活性剤は、好ましくは、アルキルサルフェート、アルキルアルコキシサルフェート、好ましくはアルキルエトキシサルフェート、又はこれらの混合物から選択され、このアニオン性界面活性剤は、４１％〜５０％の重量平均アルキル分岐度を有する。第一の補助界面活性剤は、両性界面活性剤、双性イオン界面活性剤、及びこれらの混合物からなる群から選択され、好ましくは、両性界面活性剤から選択され、好ましくは、アミンオキシド界面活性剤から選択される。環状ポリアミンは、式（Ｉ）の環状ポリアミンであり、
【０００７】
【化１】
2019052299.tif 000002
式中、ラジカルＲ１、Ｒ２、Ｒ３、Ｒ４、及びＲ５は独立して、ＮＨ２、−Ｈ、１〜１０個の炭素原子を有する直鎖若しくは分岐鎖アルキル又はアルケニルから選択され、ｎは、１〜３であり、好ましくは１であり、ラジカルのうちの少なくとも１つは、ＮＨ２である。
【０００８】
別の態様において、本発明の食器手洗い用洗浄組成物は、組成物の１５重量％〜４０重量％の界面活性剤系と、組成物の０．１重量％〜２重量％の特定の環状ジアミンとを含む。界面活性剤系は、アニオン性界面活性剤、及びアミンオキシド補助界面活性剤、好ましくはアルキルジメチルアミンオキシド補助界面活性剤を含む。アニオン性界面活性剤は、４１％〜５０％の重量平均分岐度並びに０．５〜０．９の平均エトキシル化度及びＣ１２〜Ｃ１４の平均アルキル鎖長を有する。アニオン性界面活性剤とアミンオキシド補助界面活性剤との重量比は、２．５：１〜４：１である。環状ジアミンは、２−メチルシクロヘキサン−１，３−ジアミン、４−メチルシクロヘキサン−１，３−ジアミン、及びこれらの混合物からなる群から選択される。
【０００９】
本発明の別の態様によると、本発明の組成物を使用する食器類を手洗いする方法が提供される。本方法は、ａ）本発明の組成物を汚れた食器類又は洗浄用具に供給する工程と、ｂ）水の存在下で、食器類を組成物で洗浄する工程と、ｃ）任意選択で、食器類をすすぐ工程と、を含む。
【００１０】
本発明の更に別の態様によれば、本発明の組成物を所定体積の水に供給する工程と、溶液中に食器類を浸漬する工程とを含む、食器類を手洗いする方法が提供される。
【００１１】
本発明の組成物の、洗浄プロセス全体を通じて組成物の泡の安定化を向上させること、組成物の泡の一貫性の保持を向上させること、及び組成物の泡の白色度の保持を向上させることのうちの少なくとも１つを提供するための使用も提供される。本発明の組成物の、グリース再付着が実質的に低減されるか、又は防止されるように、グリース洗浄性及びグリース乳化を提供するための使用も提供される。
【００１２】
本発明の１つの目的は、洗浄プロセス中に可能な限り持続することができる、高体積、緻密かつ白色の泡の性質のうちの、全てではないが、少なくとも１つを呈することができる食器手洗い用洗浄組成物を提供することである。特に、この良好な泡立ち特性は、水で満たされた流し台での洗浄条件及び／又は製品を洗浄用具に直接適用して、水道水で流す条件下の異なる消費者の洗浄習慣の下で呈される。
【００１３】
本発明の別の目的は、広い範囲の希釈条件下において良好な泡立ち特性、特に長時間持続する泡、特により長く持続する泡体積、泡一貫性、及び／又は泡白色度を有する食器手洗い用洗浄組成物を提供することである。
【００１４】
本発明の別の目的は、良好な洗浄性、特に、軽い汚れ及び／若しくは落としにくい汚れの良好な洗浄性、並びに／又はグリース除去性を有する、本発明のかかる食器手洗い用洗浄組成物を提供することである。
【００１５】
本発明の別の目的は、洗浄性を超えるグリース再付着が実質的に低減されるか、又は防止されるように、良好なグリース乳化性を有する、本発明のかかる食器手洗い用洗浄組成物を提供することである。
【００１６】
本発明の別の目的は、保存及び出荷時に、ストレス条件の下であっても安定である、本発明のかかる食器手洗い用洗浄組成物を提供することである。
【００１７】
本発明のこれらの特徴、態様、及び利点、並びに他の特徴、態様、及び利点は、以下の詳細な説明から当業者には明らかとなろう。
【図面の簡単な説明】
【００１８】
本明細書は、本発明を特定して指摘し明確に請求する請求項をもって結論とするが、本発明は、添付図面の以下の説明からより良く理解されると考えられる。
【図１】本明細書に記載されるグリース乳化性試験に従って、高度に分岐したアニオン性界面活性剤と本発明による環状ポリアミンとを含む本発明の組成物（発明組成物１）の洗浄溶液に対比して、高度に分岐したアニオン性界面活性剤と本発明による環状ポリアミンとを含まない比較組成物（比較組成物５）の洗浄溶液に曝すことによって得られた槽カバーの写真を示す。
【発明を実施するための形態】
【００１９】
用語の定義
本明細書で使用するとき、請求項において使用される「ａ」及び「ａｎ」等の冠詞は、特許請求される又は記載される１つ又は複数のものを意味すると理解される。
【００２０】
本明細書で使用するとき、用語「含む（comprising）」とは、特に言及したもの以外の工程、及び成分を付加できることを意味する。この用語には、「〜からなる（consisting of）」及び「〜から本質的になる（consisting essentially of）」という用語が含まれる。本発明の組成物は、本明細書に記載される本発明の必須要素及び制限事項、並びに本明細書に記載されるあらゆる追加若しくは任意の成分、構成要素、工程、又は制限事項を含み、これらからなり、あるいは、これらから本質的になることができる。
【００２１】
本明細書で使用するところの「食器類」なる用語には、非限定的な例として、セラミック、陶磁器、金属、ガラス、プラスチック（例えば、ポリエチレン、ポリプロピレン、ポリスチレンなど）及び木材から製造された調理器具及び食卓用食器類が含まれる。
【００２２】
本明細書で使用するところの「油汚れ」なる用語は、少なくとも一部（すなわち、油汚れの少なくとも０．５重量％）が、飽和及び不飽和の油脂、好ましくは牛肉、豚肉、及び／又は鶏肉のような動物性原料に由来する油脂で構成された物質を意味する。
【００２３】
「含む（include）」、「含む（includes）」及び「含む（including）」なる用語は、非限定的なものであることを意味する。
【００２４】
本明細書で使用するところの「泡立ち特性」なる用語は、食器洗いプロセスの間の泡の性質に関する洗浄組成物の特性のことを指す。例えば、洗浄組成物の泡立ち特性には、水性洗浄溶液中の洗浄組成物の溶解及び攪拌、通常、手動攪拌の際に発生する泡の体積、及び食器洗いプロセスの間の泡の保持率が挙げられるが、これらに限定されない。好ましくは、本発明の食器手洗い用洗浄組成物は、高泡体積、緻密な泡一貫性、及び白色の泡外観のうちの、全てではないが、少なくとも１つを保有する「良好な泡立ち特性」を有することを特徴とする。これは、消費者が泡立ち特性を洗浄組成物の性能の指標として使用するために重要である。更に、消費者はまた、泡立ち特性を、食器洗浄プロセスの終盤に向かっていても、洗浄溶液がなお活性洗浄成分を含有していることの指標としても使用する。
【００２５】
本明細書に述べられ、かつ特許請求される、出願人らによる発明のパラメータのそれぞれの値を決定するには、本出願の試験方法の項に開示される試験方法が使用されなければならない点は理解されよう。
【００２６】
本発明の全ての実施形態では、特に具体的に記述しない限り、文脈から明らかであるように、全ての百分率は、全組成物の重量によるものである。特にそうでない旨が具体的に述べられない限り、全ての比は重量比であり、全ての測定は特に指定しない限りは２５℃で行なわれる。
【００２７】
洗浄組成物
本発明は、良好な泡立ち特性を有する洗浄組成物に関する。特に、本洗浄組成物は、高泡体積、緻密な泡一貫性、及び白色の泡外観のうちの、全てではないが、少なくとも１つを有する。高度に分岐したアニオン性界面活性剤系を配合することにより、食器洗浄プロセス中の泡体積の保持を高め、すなわち、良好な泡効果を提供することが見出された。しかし、このような系は、食器洗浄プロセス中の持続的な泡一貫性及び白色の泡外観を維持するのにあまり良好ではない。本出願人は、驚くべきことに、本発明による高度に分岐したアニオン界面活性剤系と特定の環状ポリアミンを組み合わせることにより、より一貫した緻密な泡、より持続的な泡白色度、及びより持続的に高い泡体積を、洗浄プロセス全体を通じて達成することができることを発見した。これらの結果は、選択された環状ポリアミンをより低い分岐のアニオン性界面活性剤系に加えて添加することが、洗浄利益を標的とするときに先行技術において記載されているように、本明細書に記載される実施例セクション内に示されるように、泡一貫性の急速な低下をもたらすことが示されているため、予期せぬものである。
【００２８】
更に、本発明の組成物は、界面活性剤系と組成物の残りの成分との相溶性のために良好な安定性を示す。本組成物は、界面活性剤系及び特定の環状ポリアミンの存在が、組成物の外観を変更しないため、すなわち、透明、半透明等であるために、審美的に好ましくもあり得る。本発明の組成物はまた、良好なグリース除去性、特に良好な未加熱のグリース除去性、グリース乳化性、及びこのようなグリース再付着の低減又は防止を提供することができる。
【００２９】
洗浄組成物は、好ましくは、食器手洗い用洗浄組成物であり、好ましくは液体形態である。好ましくは、本組成物は、全組成物の５０重量％〜８５重量％、好ましくは５０重量％〜７５重量％の液体担体を含有し、この担体には他の必須成分及び任意成分が溶解、分散、又は懸濁している。液体担体の好ましい１つの成分は、水である。
【００３０】
好ましくは、本組成物のｐＨは、２０℃の蒸留水中１０％希釈で測定されるとき、約６〜約１４、好ましくは約７〜約１２、又はより好ましくは約７．５〜約１０である。組成物のｐＨは、当該技術分野において既知のｐＨ調整成分を使用して調整することができる。
【００３１】
本発明の組成物は、ニュートン流体又は非ニュートン流体、好ましくはニュートン流体であってよい。好ましくは、本組成物は、１０ｍＰａ・ｓ〜１０，０００ｍＰａ・ｓ、好ましくは１００ｍＰａ・ｓ〜５，０００ｍＰａ・ｓ、より好ましくは３００ｍＰａ・ｓ〜２，０００ｍＰａ・ｓ、最も好ましくは５００ｍＰａ・ｓ〜１，５００ｍＰａ・ｓ、あるいはこれらの組み合わせの初期粘度を有する。スピンドル２１を用いたＢｒｏｏｋｆｉｅｌｄ  ＲＴ粘度計により、２５℃にて２０ＲＰＭで粘度を測定する。
【００３２】
本発明の洗浄組成物は、特に食器手洗い用洗浄剤としての使用に適している。その好ましい泡立ち特性により、洗浄用具に直接適用されるその未希釈形態における使用、又は食器類を洗浄するために流し台に水を満たす希釈形態における使用に非常に好適である。
【００３３】
界面活性剤系
洗浄組成物は、全組成物の約１重量％〜約６０重量％、好ましくは約５重量％〜約５０重量％、より好ましくは約８重量％〜約４５重量％、最も好ましくは約１５重量％〜約４０重量％の界面活性剤系を含む。
【００３４】
アニオン性界面活性剤
好ましくは、本発明の洗浄組成物用の界面活性剤系は、界面活性剤系の約６０重量％〜約９０重量％、好ましくは約６５重量％〜８５重量％、より好ましくは約７０重量％〜約８０重量％のアニオン性界面活性剤又はその混合物を含む。界面活性剤系は、単一の界面活性剤であることができるが、通常はアニオン性界面活性剤の混合物である。本発明の組成物の界面活性剤系は、サルフェートアニオン性界面活性剤、好ましくは、アルキルサルフェート、アルキルアルコキシサルフェート、好ましくはアルキルエトキシサルフェート、又はこれらの混合物から選択されるアニオン性界面活性剤を含み、アニオン性界面活性剤は、４１％〜５０％の重量平均アルキル分岐度を有する。この分岐のレベルは、組成物の向上した泡寿命に寄与する。これはまた、洗剤の安定性にも寄与する。好ましくは、アニオン性界面活性剤の平均アルキル鎖は、８〜１８個、好ましくは１０〜１４個、より好ましくは１２〜１４個、最も好ましくは１２〜１３個の炭素である。好ましくは、本明細書に用いるためのアルキルアルコキシサルフェートは、５未満、好ましくは３未満、より好ましくは２未満かつ０．５超、最も好ましくは０．５〜０．９の平均エトキシル化度を有するアルキルエトキシサルフェートである。最も好ましくは、アニオン性界面活性剤は、１２〜１３のモル平均アルキル炭素鎖長、０．５〜０．９のモル平均エトキシル化度、及び４１％〜５０％の重量平均アルキル分岐度を有するアルキルエトキシサルフェートアニオン性界面活性剤である。この比を有する洗剤は、良好な泡体積構築性能を提示する。
【００３５】
アルキルエトキシル化サルフェートアニオン性界面活性剤が混合物である場合、平均アルコキシル化度は、混合物の全成分のモル平均アルコキシル化度（すなわち、モル平均アルコキシル化度）である。モル平均アルコキシル化度の計算には、アルコキシレート基を有さないサルフェートアニオン性界面活性剤成分の重量も含めなければならない。
モル平均アルコキシル化度＝（ｘ１＊界面活性剤１のアルコキシル化度＋ｘ２＊界面活性剤２のアルコキシル化度＋．．．）／（ｘ１＋ｘ２＋．．．）
式中、ｘ１、ｘ２、．．．は、混合物の各サルフェートアニオン性界面活性剤のモル数であり、アルコキシル化度は、各サルフェートアニオン性界面活性剤中のアルコキシ基の数である。
【００３６】
界面活性剤が分岐状である場合、好ましい分岐基は、アルキルである。典型的には、アルキルは、メチル、エチル、プロピル、ブチル、ペンチル、環状アルキル基、及びこれらの混合物から選択される。単一又は複数のアルキル分岐が、本発明の組成物で使用されるサルフェートアニオン性界面活性剤を作製するために使用される出発アルコールのヒドロカルビル主鎖に存在し得る。
【００３７】
分岐状サルフェートアニオン性界面活性剤は、単一のアニオン性界面活性剤、又はアニオン性界面活性剤の混合物であり得る。単一の界面活性剤の場合、分岐の割合は、界面活性剤が誘導される元のアルコールにおいて分岐しているヒドロカルビル鎖の重量％を指す。
【００３８】
界面活性剤混合物の場合、分岐の割合は重量平均であり、以下の式に従って定義され、
分岐の重量平均（％）＝［（ｘ１＊アルコール１中の分岐アルコール１の重量％＋ｘ２＊アルコール２中の分岐アルコール２の重量％＋．．．）／（ｘ１＋ｘ２＋．．．）］＊１００
式中、ｘ１、ｘ２は、本発明の洗剤のアニオン性界面活性剤の出発原料として使用されたアルコールの全アルコール混合物中の各アルコールのグラム単位の重量である。重量平均分岐度の計算には、分岐基を有さないアニオン性界面活性剤成分の重量も含めなければならない。
【００３９】
好適な対イオンとしては、アルカリ金属カチオン、アルカリ土類金属カチオン、アルカノールアンモニウム、又はアンモニウム若しくは置換アンモニウムが挙げられるが、好ましくはナトリウムである。
【００４０】
市販されているサルフェートの好適な例としては、Ｓｈｅｌｌ社製のＮｅｏｄｏｌアルコール、Ｓａｓｏｌ社製のＬｉａｌ−Ｉｓａｌｃｈｅｍ及びＳａｆｏｌ（登録商標）、Ｐｒｏｃｔｅｒ  ＆  Ｇａｍｂｌｅ  Ｃｈｅｍｉｃａｌｓ社製の天然アルコールをベースにしたものが挙げられる。
【００４１】
アニオン性界面活性剤系は、スルホネート又はスルホスクシネートアニオン性界面活性剤を更に含んでもよい。本明細書における使用に適したスルホネート界面活性剤としては、Ｃ８〜Ｃ１８アルキル又はヒドロキシアルキルスルホネートの水溶性塩；Ｃ１１〜Ｃ１８アルキルベンゼンスルホネート（ＬＡＳ）、修飾されたアルキルベンゼンスルホネート（ＭＬＡＳ）；メチルエステルスルホネート（ＭＥＳ）；及びα−オレフィンスルホネート（ＡＯＳ）が挙げられる。これらはまた、１０〜２０炭素原子のパラフィンをスルホン化することによって得られる、モノスルホネート及び／又はジスルホネートであり得るパラフィンスルホネートを含む。スルホネート界面活性剤としてはまた、アルキルグリセリルスルホネート界面活性剤が挙げられる。アニオン性界面活性剤系はまた、石鹸、すなわち、脂肪カルボキシレートアニオン性界面活性剤を更に含んでもよい。好ましくは、アニオン性界面活性剤は、更に、非サルフェートアニオン性界面活性剤は含まない。
【００４２】
第一の補助界面活性剤
本発明の組成物の界面活性剤系は、第一の補助界面活性剤を更に含む。本組成物は、好ましくは、組成物の０．１重量％〜２０重量％、より好ましくは０．５重量％〜１５重量％、特に好ましくは２重量％〜１０重量％の第一の補助界面活性剤を含む。第一の補助界面活性剤は、両性界面活性剤、双性イオン界面活性剤、及びこれらの混合物からなる群から選択される。本発明の組成物は、好ましくは、両性界面活性剤としてのアミンオキシド、又は双性イオン界面活性剤としてのベタイン、又は当該アミンオキシド及びベタイン界面活性剤の混合物を含む。好ましくは、両性界面活性剤及び双性イオン界面活性剤は、約２：１〜約１：２の重量比である。最も好ましくは、第一の補助界面活性剤は、直鎖又は分岐鎖アルキルアミンオキシド界面活性剤、直鎖又は分岐鎖アルキルアミドプロピルアミンオキシド界面活性剤、及びこれらの混合物からなる群から選択され、好ましくは、直鎖アルキルジメチルアミンオキシド界面活性剤から選択され、より好ましくは直鎖Ｃ１０アルキルジメチルアミンオキシド界面活性剤、直鎖Ｃ１２〜Ｃ１４アルキルジメチルアミンオキシド界面活性剤、又はこれらの混合物からなる群から選択され、最も好ましくは直鎖Ｃ１２〜Ｃ１４アルキルジメチルアミンオキシド界面活性剤から選択されるアミンオキシド界面活性剤である。
【００４３】
好ましくは、アミンオキシドは、アルキルジメチルアミンオキシド又はアルキルアミドプロピルジメチルアミンオキシド、より好ましくはアルキルジメチルアミンオキシド、特にココジメチルアミノオキシド、最も好ましくは、Ｃ１２〜Ｃ１４アルキルジメチルアミンオキシドである。典型的な直鎖アミンオキシドとしては、１つのＲ１  Ｃ８〜１８アルキル部分と、Ｃ１〜３アルキル基及びＣ１〜３ヒドロキシアルキル基からなる群から選択される２つのＲ２及びＲ３部分とを含有する水溶性アミンオキシドが挙げられる。好ましくは、アミンオキシドは、式Ｒ１−Ｎ（Ｒ２）（Ｒ３）Ｏ（式中、Ｒ１はＣ８〜１８アルキルであり、Ｒ２及びＲ３は、メチル、エチル、プロピル、イソプロピル、２−ヒドロキシエチル、２−ヒドロキシプロピル、及び３−ヒドロキシプロピルからなる群から選択される）により特徴付けられる。直鎖アミンオキシド系界面活性剤としては、特に、直鎖Ｃ１０〜Ｃ１８アルキルジメチルアミンオキシド及び直鎖Ｃ８〜Ｃ１２アルコキシエチルジヒドロキシエチルアミンオキシドを挙げることができる。好ましいアミンオキシドとしては、直鎖Ｃ１０、直鎖Ｃ１０〜Ｃ１２、及び直鎖Ｃ１２〜Ｃ１４アルキルジメチルアミンオキシドが挙げられる。本明細書で使用するとき、「中鎖分岐状（mid-branched）」とは、アミンオキシドが、ｎ１個の炭素原子を有する１つのアルキル部分を有し、このアルキル部分における１つのアルキル分岐がｎ２個の炭素原子を有することを意味する。アルキル分岐は、アルキル部分上で、窒素に結合したα炭素上に位置する。アミンオキシドにおけるこの種の分岐は、当該技術分野において、内部アミンオキシドとしても知られている。ｎ１とｎ２との合計は、１０〜２４個の炭素原子、好ましくは１２〜２０個、より好ましくは１０〜１６個である。１つのアルキル部分と１つのアルキル分岐とが対称となるように、１つのアルキル部分の炭素原子数（ｎ１）は、１つのアルキル分岐の炭素原子数（ｎ２）とおよそ同じでなければならない。本明細書で使用するとき、「対称」とは、本明細書で使用される中鎖分岐状アミンオキシドの少なくとも５０重量％、より好ましくは少なくとも７５重量％〜１００重量％において、｜ｎ１−ｎ２｜が５以下、好ましくは４、最も好ましくは０〜４の炭素原子であることを意味する。アミンオキシドは、Ｃ１〜３アルキル、Ｃ１〜３ヒドロキシアルキル基、又は平均して約１〜約３個のエチレンオキシド基を含有するポリエチレンオキシド基から独立して選択される２つの部分を更に含む。好ましくは、２つの部分は、Ｃ１〜３アルキルから選択され、より好ましくはいずれもＣ１アルキルとして選択される。
【００４４】
あるいは、アミンオキシド界面活性剤は、ローカットアミンオキシド及びミッドカットアミンオキシドを含む、アミンオキシドの混合物である。本発明の組成物のアミンオキシドは、更にまた、
ａ）アミンオキシドの約１０重量％〜約４５重量％の式Ｒ１Ｒ２Ｒ３ＡＯ（式中、Ｒ１及びＲ２は、独立して、水素、Ｃ１〜Ｃ４のアルキル及びこれらの混合物から選択され、Ｒ３はＣ１０のアルキル又はこれらの混合物から選択される）のローカットアミンオキシドと、
ｂ）アミンオキシドの５５重量％〜９０重量％の式Ｒ４Ｒ５Ｒ６ＡＯ（式中、Ｒ４及びＲ５は、独立して、水素、Ｃ１〜Ｃ４のアルキル、又はこれらの混合物から選択され、Ｒ６は、Ｃ１２〜Ｃ１６のアルキル又はこれらの混合物から選択される）のミッドカットアミンオキシドとを含む。
【００４５】
本明細書で使用される好ましいローカットアミンオキシドにおいて、Ｒ３はｎ−デシルである。本明細書で使用される別の好ましいローカットアミンオキシドにおいて、Ｒ１及びＲ２は両方ともメチルである。本明細書で使用される特に好ましいローカットアミンオキシドにおいて、Ｒ１及びＲ２は両方ともメチルであり、Ｒ３はｎ−デシルである。
【００４６】
好ましくはアミノオキシドは、式Ｒ７Ｒ８Ｒ９ＡＯ（式中、Ｒ７及びＲ８は水素、Ｃ１〜Ｃ４のアルキル及びこれらの混合物から選択され、Ｒ９はＣ８のアルキル及びこれらの混合物から選択される）のアミンオキシドを、アミンオキシドの約５重量％未満、より好ましくは３重量％未満含む。Ｒ７Ｒ８Ｒ９ＡＯを含む組成物は、不安定な傾向があり、強力な泡効果を提供しない。
【００４７】
好適なベタイン界面活性剤としては、アルキルベタイン、アルキルアミドベタイン、アミドアゾリニウムベタイン、スルホベタイン（ＩＮＣＩスルタイン）並びにホスホベタインなどのベタインが挙げられ、好ましくは次の式（Ｉ）に合致する。
【００４８】
【化２】
2019052299.tif 000003
式中、
Ｒ１は飽和又は不飽和Ｃ６〜２２アルキル残基であり、好ましくはＣ８〜１８アルキル残基、特に飽和Ｃ１０〜１６アルキル残基、例えば、飽和Ｃ１２〜１４アルキル残基であり、
Ｘは、ＮＨ、ＮＲ４（Ｃ１〜４アルキル残基Ｒ４を有する）、Ｏ、又はＳであり、
ｎは、１〜１０の数、好ましくは２〜５、特に３であり、
ｘは、０又は１、好ましくは１であり、
Ｒ２、及びＲ３は独立して、ヒドロキシエチル、好ましくはメチルなどの、ヒドロキシ置換される可能性のあるＣ１〜４アルキル残基であり、
ｍは１〜４の数、特に１、２又は３であり、
ｙは、０又は１であり、
Ｙは、ＣＯＯ、ＳＯ３、ＯＰＯ（ＯＲ５）Ｏ又はＰ（Ｏ）（ＯＲ５）Ｏであり、Ｒ５は水素原子Ｈ又はＣ１〜４アルキル残基である）。
【００４９】
好ましいベタインは、式（Ｉａ）のアルキルベタイン、式（Ｉｂ）のアルキルアミドプロピルベタイン、式（Ｉｃ）のスルホベタイン、及び式（Ｉｄ）のアミドスルホベタインであり；
【００５０】
【化３】
2019052299.tif 000004
式中、Ｒ１は式（Ｉ）の場合と同じものを意味する。特に好ましいベタインは、カルボベタイン［式中、Ｙ−＝ＣＯＯ−］であり、特に式（Ｉａ）及び式（Ｉｂ）のカルボベタイン、より好ましくは、式（Ｉｂ）のアルキルアミドベタインである。
【００５１】
好適なベタイン及びスルホベタインの例は、アーモンドアミドプロピルベタイン、アプリコットアミドプロピルベタイン、アボカドアミドプロピルベタイン、ババスアミドプロピルベタイン、ベヘナミドプロピルベタイン、ベヘニルベタイン、ベタイン、キャノーラミドプロピルベタイン、カプリル／カプラミドプロピルベタイン、カルニチン、セチルベタイン、コカミドエチルベタイン、コカミドプロピルベタイン、コカミドプロピルヒドロキシスルタイン、ココベタイン、ココヒドロキシスルタイン、ココ／オレアミドプロピルベタイン、ココスルタイン、デシルベタイン、ジヒドロキシエチルオレイルグリシネート、ジヒドロキシエチル大豆グリシネート、ジヒドロキシエチルステアリルグリシネート、ジヒドロキシエチルタローグリシネート、ＰＧ−ベタインのプロピルジメチコーン、エルカミドプロピルヒドロキシスルタイン、水素添加タローベタイン、イソステアラミドプロピルベタイン、ラウラミドプロピルベタイン、ラウリルベタイン、ラウリルヒドロキシスルタイン、ラウリルスルタイン、ミルクアミドプロピルベタイン、ミンクアミドプロピルベタイン、ミリスタミドプロピルベタイン、ミリスチルベタイン、オレアミドプロピルベタイン、オレアミドプロピルヒドロキシスルタイン、オレイルベタイン、オリーブアミドプロピルベタイン、ヤシアミドプロピルベタイン、パルミタミドプロピルベタイン、パルミトイルカルニチン、ヤシ仁アミドプロピルベタイン、ポリテトラフルオロエチレンアセトキシプロピルベタイン、リシノール酸アミドプロピルベタイン、セサミドプロピルベタイン、ソイアミドプロピルベタイン、ステアラミドプロピルベタイン、ステアリルベタイン、タローアミドプロピルベタイン、タローアミドプロピルヒドロキシスルタイン、タローベタイン、タロージヒドロキシエチルベタイン、ウンデシレンアミドプロピルベタイン、及び小麦胚芽アミドプロピルベタインである［ＩＮＣＩに従って表記］。
【００５２】
好ましいベタインは例えば、ココアミドプロピルベタインである。
【００５３】
本発明の組成物の界面活性剤系は、アニオン性界面活性剤と第一の補助界面活性剤とを含み、アニオン性界面活性剤の第一の補助界面活性剤に対する重量比は、約１：１〜約８：１、好ましくは約２：１〜約５：１、より好ましくは２．５：１〜４：１である。この比を有する洗剤は、水を満たした流し台下で並びに洗浄用具への直接適用の消費者の洗浄習慣の下で使用される場合の両方で、良好な泡性能、特に、泡体積の構築及び泡体積保持性能を呈する。
【００５４】
第二の補助界面活性剤
本発明の組成物は、第二の補助界面活性剤を含み得る。好ましくは、第二の補助界面活性剤は、非イオン性界面活性剤を含む。好ましくは、非イオン性界面活性剤としては、直鎖又は分岐鎖の一級若しくは二級アルキルアルコキシル化非イオン性界面活性剤、好ましくはアルキルエトキシル化非イオン性界面活性剤、好ましくは、そのアルキル鎖中に平均で９〜１５個、好ましくは１０〜１４個の炭素原子と、アルコール１モル当たり平均で５〜１２、好ましくは６〜１０、最も好ましくは７〜８単位のエチレンオキシドとを有するものである。本組成物は、界面活性剤系の１重量％〜２５重量％、より好ましくは１．２５重量％〜２０重量％、より好ましくは１．５重量％〜１５重量％、最も好ましくは１．５重量％〜５重量％のこのアルコキシル化、好ましくはエトキシル化非イオン性界面活性剤を含み得る。
【００５５】
あるいは、第二の補助界面活性剤は、アルキルポリグリコシド非イオン性界面活性剤を含む。好ましくは、本発明の組成物は、界面活性剤系の０．５重量％〜２０重量％、より好ましくは０．７５重量％〜１５重量％、より好ましくは１重量％〜１０重量％、最も好ましくは１重量％〜５重量％のアルキルポリグリコシド（「ＡＰＧ」）界面活性剤を更に含む。好ましくは、アルキルポリグリコシド界面活性剤は、Ｃ８〜Ｃ１６アルキルポリグリコシド界面活性剤、好ましくはＣ８〜Ｃ１４アルキルポリグリコシド界面活性剤であり、好ましくは０．１〜３、より好ましくは０．５〜２．５、更により好ましくは１〜２の平均重合度を有するものである。最も好ましくは、アルキルポリグリコシド界面活性剤は、０．５〜２．５、好ましくは１〜２、最も好ましくは１．２〜１．６の平均重合度で、１０〜１６、好ましくは１０〜１４、最も好ましくは１２〜１４の平均アルキル炭素鎖長を有する。Ｃ８〜Ｃ１６アルキルポリグリコシドは、いくつかの供給者から市販されている（例えば、Ｓｅｐｐｉｃ  ＣｏｒｐｏｒａｔｉｏｎからのＳｉｍｕｓｏｌ（登録商標）界面活性剤；及びＢＡＳＦ  ＣｏｒｐｏｒａｔｉｏｎからのＧｌｕｃｏｐｏｎ（登録商標）６００  ＣＳＵＰ、Ｇｌｕｃｏｐｏｎ（登録商標）６５０  ＥＣ、Ｇｌｕｃｏｐｏｎ（登録商標）６００  ＣＳＵＰ／ＭＢ、並びにＧｌｕｃｏｐｏｎ（登録商標）６５０  ＥＣ／ＭＢ）。
【００５６】
第二の補助界面活性剤はまた、アルコールアルコキシレート、好ましくはエトキシレートとＡＰＧ非イオン性界面活性剤との混合物を含むことができる。
【００５７】
好ましくは、本発明の組成物は、カチオン性界面活性剤を含まないか又は実質的に含まない。
【００５８】
好ましくは、本発明の組成物の界面活性剤系は、（ｉ）界面活性剤系の７０重量％〜８０重量％のアルキルエトキシサルフェートと、（ｉｉ）界面活性剤系の２０重量％〜３０重量％のアミンオキシド界面活性剤とを含む。
【００５９】
環状ポリアミン
本発明の環状ポリアミンは、洗浄用ポリアミンとして既知である。「洗浄用ポリアミン」とは、本明細書において、洗浄組成物の一部として洗浄に役立つアミン官能基を含む、本明細書の以下に描写される式を有する分子を意味する。
【００６０】
本出願人は、驚くべきことに、これらの環状ポリアミンがまた、本発明による高度に分岐したアニオン性界面活性剤と一緒に配合されると、食器洗浄プロセスの全体を通じて泡立ち特性を改善するようにも働くことを発見した。これは、洗浄改善を目的とした場合に、これらが以前に記載されたように、泡の効果、特に洗浄プロセス全体を通じての泡一貫性の保持が、特定の環状ポリアミンと低分岐アニオン界面活性剤系とを組み合わせた配合物内では観察されていないために（実施例セクションを参照）、特に驚くべきことである。好ましくは、本発明の組成物は、組成物の約０．１重量％〜約５重量％、好ましくは約０．１重量％〜２重量％の環状ポリアミンを含む。本明細書における用語「環状ポリアミン」は、単一のポリアミン及びその混合物を包含する。本ポリアミンは、それが使用される洗浄媒体のｐＨに依存してプロトン化に供され得る。
【００６１】
本環状ポリアミンは、式（Ｉ）に一致し、
【００６２】
【化４】
2019052299.tif 000005
式中、ラジカルＲ１、Ｒ２、Ｒ３、Ｒ４、及びＲ５が独立して、ＮＨ２、−Ｈ、１〜１０個の炭素原子を有する直鎖若しくは分岐鎖アルキル又はアルケニルから選択され、ｎは、１〜３であり、ラジカルのうちの少なくとも１つは、ＮＨ２である。
【００６３】
好ましくは、環状ポリアミンはジアミンであり、ｎは１であり、Ｒ２はＮＨ２であり、Ｒ１、Ｒ３、Ｒ４、及びＲ５のうちの少なくとも１つはＣＨ３であり、好ましくは残りのラジカルはＨである。
【００６４】
好ましくは、環状ポリアミンは、少なくとも２つの一級アミン官能基を有する環状ポリアミンである。一級アミンは、環内の任意の位置に存在してもよいが、油脂洗浄の観点から、一級アミンが１位、３位に存在する場合、良好な性能が得られることが見出されている。また、置換基のうちの１つが−ＣＨ３であり、残りがＨであるアミンが油脂洗浄の観点で有利であることも判明している。
【００６５】
２−メチルシクロヘキサン−１，３−ジアミン、４−メチルシクロヘキサン−１，３−ジアミン、及びこれらの混合物からなる群から選択される洗浄用アミンが、本明細書に用いるのに特に好ましい。
【００６６】
我々は、驚くべきことに、洗剤配合物中にグリース洗浄効果を提供することが知られている特定の環状ポリアミンがまた、本発明による高度に分岐したアニオン性界面活性剤系と一緒に配合されると、食器洗浄プロセス中のより良好な泡効果、より持続した泡一貫性、及びより持続した泡白色度も可能にすることを見出した。このことは、低度に分岐したアニオン性界面活性剤系は、これらが先行技術の範囲内で、また本発明の範囲外で記載されているように、持続性の低い泡一貫性が得られることも判明したので、特に驚くべきことである。
【００６７】
両親媒性ポリマー
本発明の組成物は、全組成物の約０．０１重量％〜約５重量％、好ましくは約０．０５重量％〜約２重量％、より好ましくは約０．０７重量％〜約１重量％の、両親媒性アルコキシル化ポリアルキレンイミン、両親媒性グラフトポリマー及びそれらの混合物、好ましくは両親媒性アルコキシル化ポリアルキレンイミンからなる群から選択される両親媒性ポリマーを更に含み得る。
【００６８】
好ましくは、両親媒性アルコキシル化ポリアルキレンイミンは、１００〜５，０００、好ましくは４００〜２，０００、より好ましくは４００〜１，０００ダルトンの平均分子量範囲を有するポリエチレンイミン主鎖を含むアルコキシル化ポリエチレンイミンポリマーであり、アルコキシル化ポリエチレンイミンポリマーは、
ｉ）修飾１個当たり平均約１〜約５０個のアルコキシ部分を有するポリアルコキシレン鎖による窒素原子１個当たり１個又は２個のアルコキシル化修飾であって、アルコキシル化修飾の末端アルコキシ部分が、水素、Ｃ１〜Ｃ４アルキル、又はこれらの混合物でキャップされている、アルコキシル化修飾、
ｉｉ）修飾１個当たり平均約１〜約５０個のアルコキシ部分を有するポリアルコキシレン鎖による窒素原子１個当たり１つのＣ１〜Ｃ４アルキル部分の添加及び１又は２個のアルコキシル化修飾であって、末端アルコキシ部分が水素、Ｃ１〜Ｃ４アルキル、又はこれらの混合物でキャップされている、添加及びアルコキシル化修飾、又は
ｉｉｉ）これらの組み合わせを更に含み、
アルコキシ部分が、エトキシ（ＥＯ）及び／又はプロポキシ（ＰＯ）及び／又はブトキシ（ＢＯ）を含み、アルコキシル化修飾がＥＯを含む場合、それはＰＯ又はＢＯも含む。
【００６９】
好ましい両親媒性アルコキシル化ポリエチレンイミンポリマーは、アルコキシル化鎖中にＥＯ及びＰＯ基を含み、ＰＯ基は好ましくはアルコキシ鎖の末端位置にあり、アルコキシル化鎖は好ましくは水素でキャップされている。アルコキシル化鎖内にエトキシ（ＥＯ）単位のみを含む親水性アルコキシル化ポリエチレンイミンポリマーもまた、任意に、本発明の範囲内で配合することができる。
【００７０】
例えばこれらに限定されるものではないが、ポリエチレンイミン主鎖の末端窒素原子に対する可能な修飾を以下に示す（ただし、Ｒはエチレンスペーサーを表し、ＥはＣ１〜Ｃ４アルキル部分を表し、Ｘ−は適切な水溶性対イオンを表す）。
【００７１】
【化５】
2019052299.tif 000006
【００７２】
更に、例えば、これらに限定されるものではないが、ポリエチレンイミン主鎖の内部窒素原子に対する可能な修飾を以下に示す（ただし、Ｒはエチレンスペーサーを表し、ＥはＣ１〜Ｃ４アルキル部分を表し、Ｘ−は適切な水溶性対イオンを表す）。
【００７３】
【化６】
2019052299.tif 000007
【００７４】
ポリエチレンイミン主鎖のアルコキシル化修飾は、平均約１〜約５０のアルコキシ部分、好ましくは約２０〜約４５のアルコキシ部分、より好ましくは約３０〜約４５のアルコキシ部分を有するポリアルコキシレン鎖による水素原子の置換からなる。アルコキシ部分は、エトキシ（ＥＯ）、プロポキシ（ＰＯ）、ブトキシ（ＢＯ）、及びこれらの混合物から選択される。しかし、エトキシ単位のみを含むアルコキシ部分は、本発明の範囲外である。好ましくは、ポリアルコキシレン鎖は、エトキシ／プロポキシブロック部分から選択される。より好ましくは、ポリアルコキシレン鎖は、約３〜約３０の平均エトキシル化度及び約１〜約２０の平均プロポキシル化度を有するエトキシ／プロポキシブロック部分、より好ましくは約２０〜約３０の平均エトキシル化度及び約１０〜約２０の平均プロポキシル化度を有するエトキシ／プロポキシブロック部分である。
【００７５】
より好ましくは、エトキシ／プロポキシブロック部分は、３：１〜１：１、好ましくは２：１〜１：１のエトキシ単位とプロポキシ単位との相対比率を有する。最も好ましくは、ポリアルコキシレン鎖は、プロポキシ部分ブロックが末端アルコキシ部分ブロックである、エトキシ／プロポキシブロック部分である。
【００７６】
この修飾により、ポリエチレンイミン主鎖の窒素原子は永久的に四級化され得る。永久的な四級化の程度は、ポリエチレンイミン主鎖の窒素原子の０％〜約３０％であり得る。永久的に四級化されるポリエチレンイミン主鎖の窒素原子は、３０％未満であることが好ましい。最も好ましくは、四級化度は約０％である。
【００７７】
好ましいポリエチレンイミンは、式（ＩＩ）の一般構造を有し、
【００７８】
【化７】
2019052299.tif 000008
式中、ポリエチレンイミン主鎖の重量平均分子量は約６００であり、式（ＩＩ）のｎの平均は約１０であり、式（ＩＩ）のｍの平均は約７であり、式（ＩＩ）のＲは、水素、Ｃ１〜Ｃ４アルキル、及びこれらの混合物から選択され、好ましくは水素である。式（ＩＩ）の永久的な四級化の度合は、ポリエチレンイミン主鎖窒素原子の０％〜約２２％であり得る。このポリエチレンイミンの分子量は、好ましくは１０，０００〜１５，０００である。
【００７９】
代替として、ポリエチレンイミンは式（ＩＩ）の一般構造を有するが、ポリエチレンイミン主鎖の重量平均分子量は約６００であり、式（ＩＩ）のｎの平均は約２４であり、式（Ｉ）のｍの平均は約１６であり、式（Ｉ）のＲは、水素、Ｃ１〜Ｃ４アルキル、及びこれらの混合物から選択され、好ましくは水素である。式（ＩＩ）の永久的な四級化の度合は、ポリエチレンイミン主鎖窒素原子の０％〜約２２％であり得る。このポリエチレンイミンの分子量は、好ましくは２５，０００〜３０，０００である。
【００８０】
最も好ましいポリエチレンイミンは式（ＩＩ）の一般構造を有し、ポリエチレンイミン主鎖の重量平均分子量は約６００であり、式（ＩＩ）のｎの平均は約２４であり、式（ＩＩ）のｍの平均は約１６であり、式（ＩＩ）のＲは水素である。式（ＩＩ）の永久的な四級化の程度は、ポリエチレンイミン主鎖の窒素原子の０％である。このポリエチレンイミンの分子量は、好ましくは大体約２５，０００〜３０，０００、最も好ましくは約２８，０００である。
【００８１】
これらのポリエチレンイミンは、ＰＣＴ国際公開第２００７／１３５６４５号により詳細に記載のとおり、例えば、二酸化炭素、亜硫酸水素ナトリウム、硫酸、過酸化水素、塩酸、酢酸等の触媒の存在下でエチレンイミンを重合させることによって調製することができる。
【００８２】
本発明の組成物は、ｉ）塩、ｉｉ）ヒドロトロープ、ｉｉｉ）有機溶媒、及びそれらの混合物からなる群から選択される少なくとも１つの活性物質を更に含み得る。
【００８３】
塩
本発明の組成物は、全組成物の約０．０５重量％〜約２重量％、好ましくは約０．２重量％〜約１．５重量％、又はより好ましくは約０．５重量％〜約１重量％の塩、好ましくは一価の、二価の無機塩若しくはこれらの混合物、より好ましくは塩化ナトリウム、硫酸ナトリウム若しくはこれらの混合物、最も好ましくは塩化ナトリウムを更に含み得る。
【００８４】
ヒドロトロープ
好ましくは、本発明の組成物は、全組成物の約０．１重量％〜約１０重量％、又は好ましくは約０．５重量％〜約１０重量％、又はより好ましくは約１重量％〜約６重量％のヒドロトープ若しくはその混合物、好ましくはクメンスルホン酸ナトリウムを更に含み得る。
【００８５】
有機溶媒
本発明の組成物は、有機溶媒を更に含み得る。好適な有機溶媒としては、Ｃ４〜１４エーテル及びジエーテル、ポリオール、グリコール、アルコキシル化グリコール、Ｃ６〜Ｃ１６グリコールエーテル、アルコキシル化芳香族アルコール、芳香族アルコール、脂肪族直鎖又は分岐鎖アルコール、アルコキシル化脂肪族直鎖又は分岐鎖アルコール、アルコキシル化Ｃ１〜Ｃ５アルコール、Ｃ８〜Ｃ１４アルキル及びシクロアルキル炭化水素及びハロ炭化水素、並びにこれらの混合物が挙げられる。好ましくは、有機溶媒としては、アルコール、グリコール、及びグリコールエーテル、あるいはアルコール及びグリコールが挙げられる。本組成物は、全組成物の０重量％〜約５０重量％未満、好ましくは約０．０１重量％〜約２５重量％、より好ましくは約０．１重量％〜約１０重量％、又は最も好ましくは約０．５重量％〜約５重量％の有機溶媒、好ましくはアルコール、より好ましくはエタノール、ポリアルキレングリコール、より好ましくはポリプロピレングリコール、及びこれらの混合物を含む。
【００８６】
補助成分
本明細書の洗浄組成物は、ビルダー（例えば、好ましくはシトレート）、キレート剤、コンディショニングポリマー、洗浄ポリマー、表面改質ポリマー、汚れ凝集ポリマー、構造化剤、皮膚軟化剤、湿潤剤、皮膚若返り有効成分、酵素、カルボン酸、スクラブ粒子、漂白剤及び漂白活性剤、香料、悪臭抑制剤、顔料、染料、乳白剤、ビーズ、真珠光沢粒子、マイクロカプセル、Ｃａ／Ｍｇイオンなどのアルカリ土類金属などの無機カチオン、抗菌剤、防腐剤、粘度調整剤（例えば、ＮａＣｌ、並びに他の一価、二価、及び三価の塩）、並びにｐＨ調整剤及び緩衝手段（例えば、クエン酸などのカルボン酸、ＨＣｌ、ＮａＯＨ、ＫＯＨ、アルカノールアミン、リン酸及びスルホン酸、炭酸ナトリウムなどの炭酸塩、重炭酸塩、セスキ炭酸塩、ホウ酸塩、ケイ酸塩、リン酸塩、イミダゾールなど）などの多くの他の補助成分を任意選択的に含むことができる。
【００８７】
本発明の第１の態様に関連して説明される本発明の組成物の各要素は、変更すべきところは変更して、発明の他の態様にも適用される。
【００８８】
洗浄方法
別の態様では、本発明は、本発明の組成物により食器類を手洗いする方法を目的とする。この方法は、本発明の組成物を汚れた食器類又は洗浄用具に供給することと、水の存在下において本組成物で食器類を洗浄することと、任意選択で食器類をすすぐこととを含む。「すすぐ」とは、本発明によるプロセスによって洗浄された食器類を、実質的な量の適切な溶媒、典型的には水と接触させることを意味する。「実質的な量」とは、通常、約１Ｌ〜約２０Ｌを意味する。本組成物は、流し台の水に前溶解し、水性洗浄溶液を作成することができ、汚れた食器類が水性洗浄溶液中に浸漬される。続いて、食器類をすすいでもよい。
【００８９】
本明細書の組成物は、希釈形態にて適用できる。汚れた食器類を、有効量、典型的には（処理される食器約２５個当たり）約０．５ｍＬ〜約２０ｍＬ、好ましくは約３ｍＬ〜約１０ｍＬの、水で希釈した本発明の洗剤組成物と、好ましくは液体形態で接触させる。使用される洗浄組成物の実際の量は使用者の判断に基づき、典型的には、洗浄組成物中の有効成分の濃度などを含む洗浄組成物の特定の製品配合、洗浄される汚れた食器の数、食器の汚れの度合などの要因に依存する。一般に、約０．０１ｍＬ〜約１５０ｍＬ、好ましくは約３ｍＬ〜約４０ｍＬの本発明の洗浄組成物が、約１，０００ｍＬ〜約２０，０００ｍＬ、より典型的には約５，０００ｍＬ〜約１５，０００ｍＬの範囲の容積容量を有する流しの中の、約２，０００ｍＬ〜約２０，０００ｍＬ、より典型的には約５，０００ｍＬ〜約１５，０００ｍＬの水と組み合わされる。汚れた食器類をこのように得られた希釈した洗浄組成物を入れた流し台内に浸漬して、食器類の汚れた表面を布、スポンジ、又は類似の洗浄用具と接触させて洗浄する。布、スポンジ、又は類似の洗浄用具は、食器類と接触させる前に、洗浄組成物と水との混合物に浸漬させてもよく、通常は、約１〜約１０秒の範囲の時間にわたって食器類と接触させるが、実際の時間は各適用及び使用者によって異なる。布、スポンジ、又は類似の洗浄用具を食器類に接触させることは、好ましくは同時に食器類をこすることにより達成される。
【００９０】
あるいは、未希釈の食器洗浄洗剤製品がまた、食器類に直接適用され得るか、又はより好ましくは、任意選択であるが好ましくは予め湿らせた洗浄用具、好ましくは予め湿らせたスポンジに直接適用され得る。典型的には、０．１ｍＬ〜２５ｍＬ、むしろ１ｍＬ〜１０ｍＬの食器洗浄洗剤製品が、消費者によってスポンジ上に投入される。これにより、予め湿らせた洗剤を運ぶスポンジが、その結果、任意選択で予め湿らせた洗浄される食器類と接触する。洗浄作用は、適用された洗剤及び除去された汚れが食器類からすすぎ落とされ得るように、流れる水道水の下で実行され得る。あるいは、洗浄作用を、水を流さずに行わせ、続いて結果として生じるすすぎ工程を経て、適用された洗剤及び汚れを食器から除去することができる。本発明のこの方法では、この洗浄用具、好ましくはスポンジにおける水による組成物の溶解は、組成物が、２０℃での脱塩水中の６０％の製品濃度における組成物の初期粘度に基づいて、８５％未満、好ましくは８０％未満、より好ましくは７５％未満、最も好ましくは６５％〜７５％の粘度の減少を有することによって特徴付けられる、洗浄製品がもっぱら徐々に放出されるように遅延されるであろう。
【００９１】
本発明の別の態様は、本発明の食器手洗い用洗浄組成物の、良好な泡立ち特性、より詳細には、洗浄プロセス全体を通じての持続した泡体積、持続した泡一貫性、及び持続した泡白色度のうちの少なくとも１つを提供するための使用を目的とする。好ましくは、この使用は、流し台を水で満たした洗浄条件及び洗浄用具上への製品の直接適用並びに水道水下での洗浄で適用可能である。
【００９２】
試験方法
本明細書に記載され、特許請求される本発明をより完全に理解するためには、以下に記載するアッセイを用いなければならない。
【００９３】
試験方法１：泡レオロジー試験
泡レオロジー試験は、スポンジに適用され、手動の絞り作用を通して攪拌されたときに、洗剤組成物から生じた泡の泡一貫性及び全体的な消費者受容性に代表される泡の物理的特性を測定することを目的とする。
【００９４】
異なる製品濃度についての泡レオロジーを測定する場合に、洗浄工程全体を通じて洗浄水での希釈時の製品に対する泡の審美性の持続性も判定される。以下の工程により試験を行う。
１．試験製品毎に、目標とする製品濃度（例えば、１０％、１％）の３０ｇの水性洗浄溶液（例えば、１５ｄＨの水硬度、２０℃）を調製する。
２．合成食器洗い用スポンジ（銘柄：Ｄｅｌｈａｉｚｅ  Ｂｅｌｇｉｕｍグリップ付き磨き用スポンジ−寸法：長さ９．５ｃｍ、幅６．５ｃｍ、及び高さ４．５ｃｍ、品番１７１５２／００００）を、洗濯機（銘柄：Ｍｉｅｌｅ  Ｓｏｆｔｒｏｎｉｃ  Ｗ３２０５−Ｅｘｐｒｅｓｓ  ｃｙｃｌｅ）内で、洗剤なしで４０℃で３２分間の３サイクル中及び１５ｄＨの水硬度で、それらを洗浄することによって事前調整する。
３．洗浄したスポンジを、標準的な実験室条件（例えば、２０〜２２℃、４０〜６０％のｒＨ）下で、０．６４ｍ／秒の空気を流して、ドラフトチャンバ（銘柄：Ｋｏｔｅｒｍａｎｎ２−４５３−ＧＡＨＢ型）下に２日間放置して乾燥させる。
４．各３０ｇの洗浄液を、乾燥スポンジの磨き側とは反対側の軟質側に均一に分布させて、２０秒間、洗浄液をスポンジ内に完全に浸漬させた。
５．ラテックスゴム手袋を装着しながら、かつ磨き側を下にした状態を保持しながら、スポンジを最大の力で５回手動で圧搾し（すなわち、１秒毎に１回の圧搾の頻度）、その後、スポンジ上に生成された泡をカップに回収し、スパチュラでレオメーター（ＴＡレオメーターＤＨＲ１）の鋸歯状ペルチェプレート上に、鋸歯状のペルチェプレート表面全体が泡で覆われるように、移す。
６．泡レオロジーを、６００のデータ点を測定する３００秒の持続時間を有するせん断速度１／ｓで、１０００μｍのギャップにおいて、かつ２０℃でのピーク保持手順に従って、鋸歯状平行プレート（上部及び底部の両方に鋸歯状形状を有する）を用いて測定する（応力定数＝７９５７７．５Ｐａ／Ｎ．ｍ、歪み定数＝２０  １／ｒａｄ）。１秒後に測定した値を静的降伏応力として報告する。
７．各製品濃度における各試験製品について、３回の繰り返しを行い、測定した静的降伏応力値を、製品毎及び製品濃度毎に平均化する。製品の濃度及び繰り返しのそれぞれについて、新しい乾燥したスポンジを使用し、全ての試験は同じ熟練操作者によって実行する。
【００９５】
２つの異なる濃度間のΔ降伏応力を、以下に記載した式に従って、より低い製品濃度の静的降伏応力値からより高い製品濃度の静的降伏応力値を減算することによって算出する。
Δ降伏応力（Ｘ％−Ｙ％）＝Ｘ％の製品濃度における静的降伏応力−Ｙ％の製品濃度における静的降伏応力
【００９６】
試験方法２：泡効果試験
食器洗浄液の特定の溶液によって生成される泡の体積の変化は、汚れの周期的注入の影響下で、特定の水硬度、溶液温度及び洗剤濃度に従う。データは、泡効果指標として参照生成物に対して比較されて表される（参照生成物は泡効果指標１００を有する）。
【００９７】
標的洗剤濃度（典型的には、特に言及しない限り、０．１２％）に応じた規定量の食器洗浄生成物は、０．４ＭＰａ（４バール）の一定圧力で４Ｌまで流し台（寸法：円筒形−直径３００ｍｍ及び高さ２８８ｍｍ）を満たし始める水流内へ、流し台の底面上３７ｃｍの高さで、０．６７ｍＬ／秒の流量でピペットにより分注される。この圧力で、最初の泡体積はシンク内で発生する。
【００９８】
最初の泡体積（平均泡高さ＊流し台表面積）を記録した後、一定量の汚れ（６ｍＬ−組成については以下の表１を参照）を流し台の中央にほぼ即座に注入する一方、パドル（金属ブレード１０×５ｃｍ、４５度の角度で気相液相界面でシンクの中央に位置する）を８５ＲＰＭで溶液内で２０回回転させる。この工程後、すぐに泡体積の総量の別の測定が続く。測定した泡体積が４００ｃｍ３に設定した最小レベルになるまで、汚れの注入工程、攪拌工程及び測定工程が繰り返される。最少レベルに達するのに必要な汚れの追加量が、その特定の試料の泡効果とみなされる。
【００９９】
全プロセスが、試料当たり及び試験条件（温度−水硬度の組み合わせ）当たり、４回繰り返される。最終結果として、４回の繰り返しの平均泡効果が各試料毎に計算される。試験試料の平均泡効果と参照試料の平均泡効果を比較することにより、試験試料の性能と参照試料の性能の比較を示し、（試験試料の汚れ追加の平均数／参照試料の汚れ追加の平均数）＊１００として計算される泡効果指標として表される（すなわち、高ければ高いほど、より良好な泡効果）。
【０１００】
【表１】
2019052299.tif 000009
【０１０１】
試験方法３：グリース乳化性試験
試験配合物を、水中（３５℃の温度−２ｄＨ水硬度）に０．３％の生成物濃度で溶解することによって、洗浄液中の油性汚れの乳化及び再付着を防止する試験組成物の能力を評価する。３００ｍＬの水性洗浄溶液を、３０ｍＬの油性べたつき汚れ（消費者平均牛脂「ＣＡＢＦ」調理用ショートニング−Ｊ＆Ｒ  Ｃｏｏｒｄｉｎａｔｉｎｇ  Ｓｅｒｖｉｃｅｓ，Ｉｎｃ．−組成は表２を参照）／オリーブ油（「Ｅｘｔｒａ  Ｏｌｉｊｆｏｌｉｅ  ｖａｎ  ｄｅ  ｅｅｒｓｔｅ  ｐｅｒｓｉｎｇ  ｕｉｔ  Ｓｐａｎｊｅ」−Ｃａｒｒｅｆｏｕｒ  Ｂｅｌｇｉｕｍ）−３０／７０比の混合物及び０．１重量％の可視化赤色色素顔料（ＡｖｅｃｉａからのＷａｘｏｌｉｎｅ  Ｒｅｄ  ＹＰ  ＦＷ）を更に含むものと共に、白色プラスチック容器（寸法：１４ｃｍ＊１４ｃｍ＊６ｃｍ−Ｆｒｅｓｈ＆Ｇｏ  ０．５１／Ｃｕｒｖｅｒ）に添加し、１分当たり１００回の振盪の頻度（１回の振盪＝１０ｃｍ上昇運動を１回及び１０ｃｍの下降運動を１回）で８分間手動で振盪させる。プラスチック容器の内側カバーの相対的な白色度を、同じ攪拌が加えられることを確実にするように一緒に振盪された比較組成物と試験組成物との間で、振盪後に直接視覚的に比較する。
【０１０２】
【表２】
2019052299.tif 000010
【実施例】
【０１０３】
以下の実施例は、本発明を更に例証するために与えられるものであり、本発明の趣旨及び範囲から逸脱することなく本発明の多くの変更が可能であることから、本発明を制限するものとして解釈すべきではない。
【０１０４】
実施例１：環状ポリアミン組成物が泡一貫性に影響を及ぼす
本発明の組成物１は、特定の環状ポリアミン（ＢＡＳＦからＢａｘｘｏｄｕｒ（商標）ＥＣＸ２１０として入手可能）と、高度に分岐したアニオン性界面活性剤とから作製された本発明による洗浄組成物の一例である。比較組成物１、２Ａ、２Ｂ、及び３〜５は、本発明の範囲外の様々な平均アルキル分岐度を有するアルキルエトキシサルフェート界面活性剤を含有し、及び／又は特定の環状ポリアミンが不在である参照組成物である。これらの組成物は、以下の表３にまとめており、全ての配合物が同様な粘度を有し、単一の変数の比較を可能にすることを確実にするためにエタノール及びＰＰＧレベルが調整された状態で、それに開示された成分の混合の標準的な混合によって製造される。
【０１０５】
【表３】
2019052299.tif 000011
＊Ｂａｘｘｏｄｕｒ（商標）ＥＣＸ２１０：４−メチルシクロヘキサン−１，３−ジアミン及び２−メチルシクロヘキサン−１，３−ジアミンの混合物、ＢＡＳＦから入手可能。
【０１０６】
結果：本発明によるＢａｘｘｏｄｕｒ（商標）ＥＣＸ２１０環状ポリアミン添加の、本発明の範囲外の平均ＡＥＳ分岐度を含む配合物（５５％−比較組成物２Ａ及び２１％−比較組成物２Ｂ）及び本発明の範囲内の平均ＡＥＳ分岐度を含む配合物（４２％−発明組成物１）に及ぼす影響を、本明細書に記載されるプロトコルに従って、泡一貫性について評価した。試験された組成物についてのΔ降伏応力を以下の表４に示す。
【０１０７】
このデータから、本発明による環状ポリアミンを、本発明の範囲内（４２％）の分岐したＡＥＳに加えて添加することが、希釈時に泡一貫性を改善し（下限デルタ１０−１値）、対照的に、本発明の範囲外（２１％；５５％）に添加されたとき、泡一貫性特性が悪化した（より高いデルタ１０−１値）ことが明確に分かる。
【０１０８】
【表４】
2019052299.tif 000012
【０１０９】
実施例２：環状ポリアミン組成物が泡効果に影響を及ぼす
結果：本発明によるＢａｘｘｏｄｕｒ（商標）ＥＣＸ２１０環状ポリアミン添加の、本発明の範囲外の重量平均ＡＥＳ分岐度を含む配合物（５５％−比較組成物２Ａ及び２１％−比較組成物２Ｂ）及び本発明の範囲内の平均ＡＥＳ分岐度を含む配合物（４２％−発明組成物１）に及ぼす影響を、本明細書に記載されるプロトコルに従って、泡効果について評価した。試験された組成物についての泡効果データを以下の表５に示す。
【０１１０】
このデータから、本発明による環状ジアミンを食器洗浄組成物に加えて添加することが、泡効果を増加させること、及びこの増加が、本発明の範囲外のＡＥＳ分岐に加えて添加されたときと比べて、本発明の範囲内のＡＥＳ分岐に加えて添加されたときにより顕著であることが明確に分かる。
【０１１１】
【表５】
2019052299.tif 000013
【０１１２】
実施例３：環状ポリアミン組成物がグリース再付着に影響を及ぼす
Ｂａｘｘｏｄｕｒ（商標）ＥＣＸ２１０環状ポリアミンを含み、かつ本発明による平均ＡＥＳ分岐度（４２％−発明組成物１）を含む試験組成物を、本発明による環状ポリアミンを含まず、本発明の範囲外の重量平均ＡＥＳ分岐度（３３．４４％−比較組成物５）を含む比較組成物と、洗浄プロセス全体を通じてのグリース再付着を防止するそれらの能力について、本明細書に記載されるグリース乳化試験プロトコルに従って比較した。
【０１１３】
結果：得られた槽カバーを図１に示す。本発明の範囲外の比較組成物（比較組成物５）と比べて、本発明による試験組成物（発明組成物１）で、非常に白い槽カバーによって証明されるように、かなり少ないグリースが再付着したことが明確に分かる。
【０１１４】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば、「４０ｍｍ」として開示される寸法は、「約４０ｍｍ」を意味することを意図する。
【図１】
2019052299.tif 000015
【外国語明細書】
2019052299.tif 000016
2019052299.tif 000017
2019052299.tif 000018
2019052299.tif 000019
2019052299.tif 000020
2019052299.tif 000021
2019052299.tif 000022
2019052299.tif 000023
2019052299.tif 000024
2019052299.tif 000025
2019052299.tif 000026
2019052299.tif 000027
2019052299.tif 000028
2019052299.tif 000029
2019052299.tif 000030
2019052299.tif 000031
2019052299.tif 000032
2019052299.tif 000033
2019052299.tif 000034
2019052299.tif 000035
2019052299.tif 000036
2019052299.tif 000037
2019052299.tif 000038
2019052299.tif 000039
2019052299.tif 000040
2019052299.tif 000041
2019052299.tif 000042
2019052299.tif 000043
2019052299.tif 000044
2019052299.tif 000045
2019052299.tif 000046
2019052299.tif 000047
2019052299.tif 000048